(57)【要約】最小限のパケット損失でＭＳを移動する方法は、２つのステップに分割される。第１のステップにおいて、ＭＳが依然としてソースＣＮノードに接続され、有効なロードを実行している場合、ＭＳはターゲットＣＮノードを指し示すルーティング情報を準備する。第２のステップにおいて、ソースＣＮノードとＲＡＮノードとの間の接続が解放され、ＭＳ  ＩＤ、コンテキストデータ及びモバイル情報がターゲットＣＮノードに送信される。その後、ターゲットＣＮノードとＲＡＮノードとの間の新しい接続が確立される。ステップは、パケット損失を最小限にするために同期的に且つ迅速に完了される。新しい接続を確立する時、新しいＣＮノードが指し示されるように、前にＭＳに送信されたルーティング情報が使用される。
2012522437.tif 000002
【特許請求の範囲】
【請求項１】
無線通信ネットワーク（６）のソース接続ノード（４）であって、
−処理ユニット（２０１）と、
−メモリ（２０２）と、
−通信インタフェース（２０４）とを備え、
前記処理ユニットは、移動局（１）に関連した情報を受信するために前記移動局の接続状態を処理する前記メモリに格納された命令集合を実行するように構成され、
−前記移動局をターゲット接続ノード（５）に移動する判断を行うステップと、
−再割当メッセージを前記移動局に送信するステップと、
−前記移動局をページングするステップと
を使用して、前記ソース接続ノード（４）から前記ターゲット接続ノードに前記アクティブな移動局の接続を移動するように更に構成されたことを特徴とするノード。
【請求項２】
前記ノードは、サービングＧＰＲＳサポートノード及びモビリティ管理エンティティのうちの一方であることを特徴とする請求項１記載のノード。
【請求項３】
加入サーバから位置消去メッセージを受信するように更に構成されたことを特徴とする請求項１記載のノード。
【請求項４】
ベアラ変更メッセージをゲートウェイ（７）と送受信するように更に構成されたことを特徴とする請求項１記載のノード。
【請求項５】
無線通信ネットワーク（６）のソース接続ノード（４）であって、
−処理ユニット（２０１）と、
−メモリ（２０２）と、
−通信インタフェース（２０４）とを備え、
前記処理ユニットは、移動局（１）に関連した情報を受信するために前記移動局の接続状態を処理する前記メモリに格納された命令集合を実行するように構成され、
−前記移動局をターゲット接続ノード（５）に移動する判断を行うステップと、
−移動局通信データを前記ターゲット接続ノードと送受信するステップと、
−再割当メッセージを前記移動局と送受信するステップと、
−再配置メッセージを前記ターゲット接続ノードに送出するステップとを使用して、前記ソース接続ノード（４）から前記ターゲット接続ノードに前記アクティブな移動局の接続を移動するように更に構成されたことを特徴とするノード。
【請求項６】
前記ノードは、サービングＧＰＲＳサポートノード及びモビリティ管理エンティティのうちの一方であることを特徴とする請求項５記載のノード。
【請求項７】
加入サーバから位置消去メッセージを受信するように更に構成されたことを特徴とする請求項５記載のノード。
【請求項８】
ベアラ変更メッセージをゲートウェイ（７）と送受信するように更に構成されたことを特徴とする請求項５記載のノード。
【請求項９】
セキュリティコンテキストデータを前記ターゲット接続ノードに転送するステップを使用するように更に構成されたことを特徴とする請求項５記載のノード。
【請求項１０】
無線通信ネットワーク（６）のターゲット接続ノード（５）であって、
−処理ユニット（２０１）と、
−メモリ（２０２）と、
−通信インタフェース（２０４）とを備え、
前記処理ユニットは、移動局（１）に関連した情報を受信するために前記移動局の接続状態を処理する前記メモリに格納された命令集合を実行するように構成され、
−前記移動局からサービス要求を受信するステップと、
−ソース接続ノード（４）から移動局通信データを要求するステップと、
−前記移動局に対するベアラ接続を再確立するステップとを使用して、前記ソース接続ノードから前記移動局の接続を受信するように更に構成されるノード。
【請求項１１】
ベアラ接続の再確立が実行されるまで前記移動局宛てのダウンリンクペイロードデータを受信し且つバッファリングするように更に構成されたことを特徴とする請求項１０記載のノード。
【請求項１２】
ベアラ接続の再確立が実行されるまで前記移動局宛てのペイロードデータを廃棄するように更に構成されたことを特徴とする請求項１０記載のノード。
【請求項１３】
前記ノードは、サービングＧＰＲＳサポートノード及びモビリティ管理エンティティのうちの一方であることを特徴とする請求項１０記載のノード。
【請求項１４】
ユーザ加入サービス（８）に位置更新メッセージを送出するように更に構成されたことを特徴とする請求項１０記載のノード。
【請求項１５】
ベアラ変更メッセージをゲートウェイ（７）と送受信するように更に構成されたことを特徴とする請求項１０記載のノード。
【請求項１６】
無線通信ネットワーク（６）のターゲット接続ノード（５）であって、
−処理ユニット（２０１）と、
−メモリ（２０２）と、
−通信インタフェース（２０４）とを備え、
前記処理ユニットは、移動局（１）に関連した情報を受信するために前記移動局の接続状態を処理する前記メモリに格納された命令集合を実行するように構成され、
−ユーザ機器通信データをソース接続ノード（４）と送受信するステップと、
−前記ユーザ機器をページングするステップと、
−前記ユーザ機器に対するベアラ接続を再確立するステップとを使用して、前記ソース接続ノードから前記移動局の接続を受信するように更に構成されたことを特徴とするノード。
【請求項１７】
ベアラ接続の再確立が実行されるまで前記移動局宛てのダウンリンクペイロードデータを受信し且つバッファリングするように更に構成されたことを特徴とする請求項１６記載のノード。
【請求項１８】
ベアラ接続の再確立が実行されるまで前記移動局宛てのペイロードデータを廃棄するように更に構成されたことを特徴とする請求項１６記載のノード。
【請求項１９】
前記ノードは、サービングＧＰＲＳサポートノード及びモビリティ管理エンティティのうちの一方であることを特徴とする請求項１６記載のノード。
【請求項２０】
ユーザ加入サービス（８）に位置更新メッセージを送出するように更に構成されたことを特徴とする請求項１６記載のノード。
【請求項２１】
ベアラ変更メッセージをゲートウェイ（７）と送受信するように更に構成されたことを特徴とする請求項１６記載のノード。
【請求項２２】
無線通信ネットワーク（６）の移動局（１）に対する接続状態を処理する方法であって、
−ソースノードにより再割当メッセージを前記移動局に送信するステップと、
−前記移動局において前記ソースノードから新しい識別データを受信するステップと、
−前記移動局によりサービス要求をターゲットノードに送出するステップと、
−前記ターゲットノードにより前記ソースノードから移動局通信データを要求するステップと、
−ベアラ接続を再確立するステップと
を備えることを特徴とする方法。
【請求項２３】
ダウンリンクペイロード通信データをバッファリングするステップを更に含むことを特徴とする請求項２２記載の方法。
【請求項２４】
加入データを加入サーバと通信するステップを更に含むことを特徴とする請求項２２記載の方法。
【請求項２５】
ベアラ接続の再確立が実行されるまで前記移動局宛てのペイロードデータを廃棄するステップを更に含むことを特徴とする請求項２２記載の方法。
【請求項２６】
無線通信ネットワーク（６）の移動局（１）に対する接続状態を処理する方法であって、
−ソースコアネットワークノード（４）とターゲットコアネットワークノート（５）との間で移動局情報を送受信するステップと、
−前記ソースノードにおいて前記ターゲットノードから前記移動局に対する新しい識別データを受信するステップと、
−前記ソースノードと前記移動局との間で再割当メッセージを送受信するステップと、
−新しい識別データを前記ソースノードから前記移動局に転送するステップと、
−ベアラ接続を再確立するステップと
を備えることを特徴とする方法。
【請求項２７】
ダウンリンクペイロード通信データをバッファリングするステップを更に含むことを特徴とする請求項２６記載の方法。
【請求項２８】
加入データを加入サーバと通信するステップを更に含むことを特徴とする請求項２６記載の方法。
【請求項２９】
ベアラ接続の再確立が実行されるまで前記移動局宛てのペイロードデータを廃棄するステップを更に含むことを特徴とする請求項２６記載の方法。
【発明の詳細な説明】
【技術分野】
【０００１】
本発明は、無線通信ネットワークにおいて最小限のパケット損失で移動局を移動させるためのソリューションに関し、特に、ネットワークにおける接続を処理するソリューションに関する。
【０００２】
本願は、国際出願pct/EP2009/002340の優先権を主張するものである。当該書面の内容は引用により本明細書に組み込まれる。
【背景技術】
【０００３】
ユーザ機器（ＵＥ又はＭＳ）は、セルラネットワークに接続する場合、コアネットワークエンティティに接続し、当該コアネットワークエンティティはコアネットワークエンティティのプールのメンバであってもよい。ＷＣＤＭＡ又はＬＴＥの場合、例えばサービングＧＰＲＳサポートノード（ＳＧＳＮ）又はモビリティ管理エンティティ（ＭＭＥ）であるモビリティ管理デバイス（ＭＭＥ）に接続する。標準化プロトコルは、ルーティングエリア更新（ＲＡＵ）を実行する加入者の種々のＳＧＳＮ間の移動を可能にし、接続時にこれらの動作のいずれも実行しない残りの加入者を移動させるのに必要である。残りの加入者は、十分な移動性を有さないためＲＡＵを実行せず、それと同時にペイロードを頻繁に実行しているため周期的なＲＡＵ手順を実行しない。これらの加入者の移動は、再接続を要求する解放手順を実行することにより行われてもよい。
【０００４】
ＳＧＳＮプールにおけるＵＥの再分配については３ＧＰＰ  ＴＳ２３．２３６で説明され、ＭＭＥプールの場合については３ＧＰＰ２３．４０１で説明される。ＵＥの再分配は、ＣＮノードにおいてＯ＆Ｍコマンドを介して開始され、これは負担を軽減される必要がある。
【０００５】
第１段階（いくつかの周期的なＬＵ／ＲＡＵ期間の長さ）において、ＲＡＵ又は接続を行うＵＥは、プールの他のＳＧＳＮに移動される。ＳＧＳＮは、ルーティングエリア更新又は接続要求を受信した場合、受付メッセージでヌルのＮＲＩ及び非同報通信ＲＡＩを含む新Ｐ−ＴＭＳＩを返す。
【０００６】
ＰＳドメインにおいて、新しいルーティングエリア更新は、受付メッセージで周期的なルーティングエリア更新タイマを十分に小さい値（推奨される値は４秒である）に設定することによりトリガされる。ＵＥは、その後すぐに新しいルーティングエリア更新を送出し、ＲＡＮノードは、ヌルのＮＲＩが存在するためにそのルーティングエリア更新を新ＳＧＳＮにルーティングする。
【０００７】
第２段階において、ＳＧＳＮはＰＤＰコンテキストをセットアップしようとしている全てのＵＥに解放及び再接続するように要求する。全てのＵＥが再接続した場合、ＳＧＳＮは上述した第１段階と同様にそれらのＵＥを移動する。
【０００８】
第３段階は、残りのＵＥを走査し且つ他のＳＧＳＮへのそれらの移動を開始することを含む。ＰＳドメインにおいて、ＵＥは解放及び再接続するように要求され、これによりそれらのＵＥは移動される。
【０００９】
１つのＳＧＳＮから移動されているＵＥは、プールに接続されたＢＳＣ及びＲＮＣにおいてＯ＆Ｍコマンドにより同一ＳＧＳＮに再度登録することを防止される。更にプールエリアに移動するＵＥは、同様に負荷が軽減されているＳＧＳＮに登録することを防止されてもよい。
【００１０】
３ＧＰＰ２３．２３６によると、ＳＧＳＮプールにおいて、ネットワークオペレータがエンドユーザに対する影響及び／又は他のエンティティに対する追加の負荷を最小限にして系統立てて１つのＳＧＳＮノードから負荷を除去したい（例えば、スケジュールされた保守を実行するため又は負荷の再分散を実行して過負荷を回避するため）状況がある。再分散手順は、端末において新しい機能性を必要としない。すなわち、全ての端末が移動可能である。
【００１１】
しかし、ＭＳがＰＭＭ接続している（すなわち、アクティブである）場合、周期的なＲＡＵも接続も実行しない。２３．２３６で提案された解決策を使用すると、オペレータがＰＤＰとＰＭＭ接続しているＭＳを移動したい場合、現在のＰＳサービスは中断される。ユーザは移動ターゲットＳＧＳＮにおいてサービスを再確立する必要がある。
【００１２】
これは、ＶｏＩＰ、ＦＴＰ及びストリーミング等の中断できないサービスを行っているＭＳには受け入れられない。従って、最小限のパケット損失でＰＭＭ接続しているＭＳを移動する手順は必要性の高い特徴である。
【００１３】
更に、既存の解決策には以下の問題がある。
【００１４】
・精度の低い解放を使用せずにＳＧＳＮのアクティブな加入者を１つのプールメンバから別のメンバに移動する方法に関して標準化された方法又は提案がない。
・ペイロードの割込みがプールメンバ間の移動動作中に長い秒数にわたり続く。これは、ＳＧＳＮプール及びＭＭＥプールの双方の負荷再均衡に有効である。
・ＭＭＥ間の負荷再均衡を実行する標準化された方法は、ｅｎｏｄｅＢにより実行された分散に基づく。これは、追加の情報なしで、ｅｎｏｄｅＢがＭＭＥの許容重みに基づいてＵＥのランダムな分配のみを実行してもよく且つエンドユーザの挙動及びその挙動によるＭＭＥ負荷に対する影響を考慮できないことを意味する。
【００１５】
従って、長いサービスの中断なしでアクティブな加入者を移動する装置及び方法は、必要性の高い特徴である。
【発明の概要】
【００１６】
従って、本発明の目的は、長いサービスの中断なしで加入者のコンテキストを移動する解決策を提供することである。これは、ＷＣＤＭＡ環境及びＬＴＥ環境において例示される。
【００１７】
アクティブな加入者、すなわちＰＭＭ接続されたＭＳを移動する目的は、プールのソースＣＮノード（例えば、ＳＧＳＮ）からターゲットＣＮノード（例えば、ＳＧＳＮ）にアクティブな加入者（すなわち、ペイロードを実行している加入者）をシームレスに移動することを可能にすることである。すなわち、アクティブな加入者は、最小限のパケット損失で移動されるべきである。
【００１８】
ＷＣＤＭＡの例における本発明の基本概念は、２つのステップで記述されてもよい。
【００１９】
ステップ１において、ＭＳはターゲットＣＮノードを指し示すルーティング情報を準備し、その一方で依然としてソースＣＮノードに接続しており、ペイロードを実行している。
【００２０】
ステップ２において、ソースＣＮノードとＲＡＮノードとの間の接続が解放される。ＭＳ  ＩＤ、コンテキストデータ及びモビリティ情報は、ターゲットＣＮノードに通信される。その後、新しい接続は、ターゲットＣＮノードとＲＡＮノードとの間でセットアップされる。これは、同期的に且つ高速に行われ、パケット損失を最小限にする。新しい接続のセットアップ時、ＭＳに先に送出されたルーティング情報が使用され、新しいＣＮノードを指し示す。
【００２１】
ＣＮからＲＡＮへのペイロードパスを処理する方法は、ネットワークアーキテクチャに依存するため、Ｅ−ＵＴＲＡＮ（ＭＭＥ）及びＵＴＲＡＮ（ＳＧＳＮ）において異なり且つ３ＧＤＴ（ＵＴＲＡＮのみ）が使用されるか否かで異なる。
【００２２】
本発明の目的は多くの態様で提供される。第１の態様は、無線通信ネットワークのソース接続ノードであって、
−処理ユニット（２０１）と、
−メモリ（２０２）と、
−通信インタフェース（２０４）とを備え、
処理ユニットは、ＭＳ（１）に関連した情報を受信するためにＭＳの接続状態を処理するメモリに格納された命令集合を実行するように構成され、
−ＭＳをターゲット接続ノード（５）に移動する判断を行うステップと、
−再割当メッセージをＭＳに送信するステップと、
−ＭＳをページングするステップとを使用して、ソース接続ノード（４）からターゲット接続ノードにアクティブなＭＳの接続を移動するように更に構成されたノードである。
【００２３】
ノードは、サービングＧＰＲＳサポートノード及びモビリティ管理エンティティのうちの一方であってもよい。
【００２４】
ノードは、加入サーバから位置消去メッセージを受信するように更に構成されてもよい。
【００２５】
ノードは、ベアラ変更メッセージをゲートウェイ（７）と送受信するように更に構成されてもよい。
【００２６】
本発明の第２の態様によると、無線通信ネットワークのソース接続ノードであって、
−処理ユニット（２０１）と、
−メモリ（２０２）と、
−通信インタフェース（２０４）とを備え、
処理ユニットは、ＭＳ（１）に関連した情報を受信するためにＭＳの接続状態を処理するメモリに格納された命令集合を実行するように構成され、
−ＭＳをターゲット接続ノード（５）に移動する判断を行うステップと、
−ＭＳ通信データをターゲット接続ノードと送受信するステップと、
−再割当メッセージをＭＳと送受信するステップと、
−再配置メッセージをターゲット接続ノードに送出するステップとを使用して、ソース接続ノード（４）からターゲット接続ノードにアクティブなＭＳの接続を移動するように更に構成されたノードが提供される。
【００２７】
ノードは、サービングＧＰＲＳサポートノード及びモビリティ管理エンティティのうちの一方であってもよい。
【００２８】
ノードは、加入サーバから位置消去メッセージを受信するように更に構成されてもよい。
【００２９】
ノードは、ベアラ変更メッセージをゲートウェイ（７）と送受信するように更に構成されてもよい。
【００３０】
ノードは、セキュリティコンテキストデータをターゲット接続ノードに転送するステップを使用するように更に構成されてもよい。
【００３１】
本発明の第３の態様によると、無線通信ネットワークのターゲット接続ノードであって、
−処理ユニット（２０１）と、
−メモリ（２０２）と、
−通信インタフェース（２０４）とを備え、
処理ユニットは、ＭＳ（１）に関連した情報を受信するためにＭＳの接続状態を処理するメモリに格納された命令集合を実行するように構成され、
−ＭＳからサービス要求を受信するステップと、
−ソース接続ノード（４）からＭＳ通信データを要求するステップと、
−ＭＳに対するベアラ接続を再確立するステップとを使用して、ソース接続ノードからＭＳの接続を受信するように更に構成されたノードが提供される。
【００３２】
ノードは、ベアラ接続の再確立が実行されるまでＭＳ宛てのダウンリンクペイロードデータを受信し且つバッファリングするように更に構成されてもよい。
【００３３】
ノードは、ベアラ接続の再確立が実行されるまでＭＳ宛てのペイロードデータを廃棄するように更に構成されてもよい。
【００３４】
ノードは、サービングＧＰＲＳサポートノード及びモビリティ管理エンティティのうちの一方であってもよい。
【００３５】
ノードは、ユーザ加入サービス（８）に位置更新メッセージを送出するように更に構成されてもよい。
【００３６】
ノードは、ベアラ変更メッセージをゲートウェイ（７）と送受信するように更に構成されてもよい。
【００３７】
本発明の第３の態様によると、無線通信ネットワークのターゲット接続ノードであって、
−処理ユニット（２０１）と、
−メモリ（２０２）と、
−通信インタフェース（２０４）とを備え、
処理ユニットは、ＭＳ（１）に関連した情報を受信するためにＭＳの接続状態を処理するメモリに格納された命令集合を実行するように構成され、
−ユーザ機器通信データをソース接続ノード（４）と送受信するステップと、
−ユーザ機器をページングするステップと、
−ユーザ機器に対するベアラ接続を再確立するステップとを使用して、ソース接続ノードからＭＳの接続を受信するように更に構成されたノードが提供される。
【００３８】
ノードは、ベアラ接続の再確立が実行されるまでＭＳ宛てのダウンリンクペイロードデータを受信し且つバッファリングするように更に構成されてもよい。
【００３９】
ノードは、ベアラ接続の再確立が実行されるまでＭＳ宛てのペイロードデータを廃棄するように更に構成されてもよい。
【００４０】
ノードは、サービングＧＰＲＳサポートノード及びモビリティ管理エンティティのうちの一方であってもよい。
【００４１】
ノードは、ユーザ加入サービス（８）に位置更新メッセージを送出するように更に構成されてもよい。
【００４２】
ノードは、ベアラ変更メッセージをゲートウェイ（７）と送受信するように更に構成されてもよい。
【００４３】
本発明の第５の態様によると、無線通信ネットワーク（６）のＭＳ（１）に対する接続状態を処理する方法であって、
−ソースノードにより再割当メッセージをＭＳに送信するステップと、
−ＭＳにおいてソースノードから新しい識別データを受信するステップと、
−ＭＳによりサービス要求をターゲットノードに送出するステップと、
−ターゲットノードによりソースノードからＭＳ通信データを要求するステップと、
−ベアラ接続を再確立するステップとから成る方法が提供される。
【００４４】
方法は、ダウンリンクペイロード通信データをバッファリングするステップを更に含んでもよい。
【００４５】
方法は、加入データを加入サーバと通信するステップを含んでもよい。
【００４６】
本発明の第６の態様によると、無線通信ネットワーク（６）のＭＳ（１）に対する接続状態を処理する方法であって、
−ソースコアネットワークノード（４）とターゲットコアネットワークノート（５）との間でＵＥ情報を送受信するステップと、
−ソースノードにおいてターゲットノードからＭＳに対する新しい識別データを受信するステップと、
−ソースノードとＭＳとの間で再割当メッセージを送受信するステップと、
−新しい識別データをソースノードからＭＳに転送するステップと、
−ベアラ接続を再確立するステップとから成る方法が提供される。
【００４７】
方法は、ダウンリンクペイロード通信データをバッファリングするステップを更に含んでもよい。
【００４８】
方法は、加入データを加入サーバと通信するステップを含んでもよい。
【００４９】
方法は、ベアラ接続の再確立が実行されるまでＵＥ宛てのペイロードデータを廃棄するステップを更に含んでもよい。
【００５０】
本発明の態様は、既知の解決策と比較して以下の多くの利点を提供する。
【００５１】
・現在の３ＧＰＰメッセージのいずれも変更する必要がなく、実現するのが非常に容易である。
・解放及び再接続なしでペイロードと共にＭＳを移動することによりＳＧＳＮプール特徴の認識及び価値を向上する。全てのＰＤＰコンテキストは、最小限のパケット／サービス損失でターゲットＳＧＳＮに保持される。
・標準化された解決策における可能性とは異なり、ＣＮからターゲットＣＮノードを選択する可能性がある。
・ＲＡＮメーカに依存しない解決策である。
・サービス可用性を向上する。
【００５２】
本発明のこれらの態様及び他の態様は、以下に説明する実施形態を参照することにより明らかとなり且つそれらの実施形態を参照して説明される。
【図面の簡単な説明】
【００５３】
【図１】本発明に係るネットワークを概略的に示す図である。
【図２】本発明に係るデバイスを概略的に示す図である。
【図３】本発明に係る方法の特定の一例を更に詳細な形式で示す図である。
【図４】本発明の一実施形態に係るＭＳを１つのＳＧＳＮから別のＳＧＳＮに移動する処理を示す図である。
【図５】本発明の別の実施形態に係るＭＳを１つのＳＧＳＮから別のＳＧＳＮに移動する処理を示す図である。
【図６】本発明に係る方法の別の特定の例を更に詳細な形式で示す図である。
【図７】本発明の別の実施形態に係る信号伝送方法を概略的に示す図である。
【図８】本発明の別の実施形態に係る信号伝送方法を概略的に示す図である。
【発明を実施するための形態】
【００５４】
図１において、図中符号１０は一般に本発明に係るネットワークを示す。ネットワークは、適切な通信プロトコルを動作させるデバイスを含むインフラストラクチャコアネットワーク（ＣＮ）部６を含む。この例において、インフラストラクチャは、無線アクセスネットワークデバイス２と通信しているモビリティ管理デバイス４及び５を含む。例えばモビリティ管理デバイス／ノード（ＭＭＥ）は、サービングＧＰＲＳサポートノード（ＳＧＳＮ）又はモビリティ管理エンティティ（ＭＭＥ）であってもよく、例えば無線アクセスネットワークデバイスは、無線ネットワークコントローラ（ＲＮＣ）又はｅｎｏｄｅＢであってもよい。モビリティ管理デバイスは、例えばゲートウェイＧＰＲＳサポートノード（ＧＧＳＮ）又はサービングゲートウェイ（ＳＧＷ）であるネットワークゲートウェイ７に接続される。ＭＭＥ４、５は、例えばホームロケーションレジスタ（ＨＬＲ）又はホーム加入者サーバ（ＨＳＳ）である加入者データベース８と通信している。
【００５５】
インフラストラクチャモビリティ管理エンティティ４、５（ＭＭＥ）は、コアネットワーク中の種々のＭＭＥ間のＭＳ（−移動局又はＵＥ−ユーザ機器）１のモビリティ管理を提供する。ＭＳ１は、無線アクセスデバイス２を介してネットワークに接続し、その結果、モビリティ管理エンティティ４又は５と通信する。本発明において、１つのＭＭＥから別のＭＭＥにＭＳのコンテキストを移動するための方法が提供される。これは、２つの例、すなわちＷＣＤＭＡ及びＬＴＥを用いた通信ネットワークに対して例示される。
【００５６】
図２は、本発明に従って方法ステップを実行するためのメモリ２０２に格納されたプログラムコードの命令集合を処理ユニット２０１において実行するデバイス２００を示す。デバイスは、通信インタフェース２０４及びオプションのユーザインタフェース２０３を更に含む。処理ユニットは、命令集合を実行し且つネットワーク６（図１に示す）を介して制御トラフィック及び／又はデータトラフィックを通信するために通信インタフェースを使用するように構成される。処理ユニットは、マイクロプロセッサ、フィールドプログラマブルゲートアレイ（ＦＰＧＡ）、特定用途向け集積回路（ＡＳＩＣ）又は同様の計算／処理ユニット等のあらゆる適切な種類の処理ユニットを含んでもよい。更にメモリユニットは、ＲＡＭ、ＤＲＡＭ、フラッシュタイプ、ハードディスク、ＣＤ  ＲＯＭ及びＤＶＤ等のいずれの種類の適切なメモリ、揮発性又は不揮発性タイプであってもよい。通信インタフェースは、例えば当業者には理解されるようなＥｔｈｅｒｎｅｔ（登録商標）、ＡＴＭ、ＡＤＳＬ、トークンリング又はｘ２５等であるあらゆる適切なパケットインタフェースを含んでもよい。オプションとして、ユーザインタフェースは、デバイスのローカル制御のために提供されてもよい。しかし、デバイスは、通信インタフェースを使用してリモート制御されてもよい。プログラム命令は、通信インタフェース又はデバイスに接続された不揮発性メモリユニットを使用してデバイスにインストール中に配信されてもよい。
【００５７】
基本的に、本発明に係る方法は２つのステップに分割されてもよい。ステップ１において、ＭＳはターゲットＣＮノードを指し示すルーティング情報を準備し、その一方で依然としてソースＣＮノードに接続され、ペイロードを実行している。
【００５８】
ステップ２において、ソースＣＮノードとＲＡＮノードとの間の接続が解放される。ＭＳ  ＩＤ、コンテキストデータ及びモビリティ情報は、ターゲットＣＮノードに通信される。その後、新しい接続は、ターゲットＣＮノードとＲＡＮノードとの間でセットアップされる。これは、同期的に且つ高速に行われ、パケット損失を最小限にする。新しい接続のセットアップ時、ＭＳに先に送出されたルーティング情報が使用され、新しいＣＮノードを指し示す。
【００５９】
ＣＮからＲＡＮへのペイロードパスを処理する方法は、ネットワークアーキテクチャに依存するため、Ｅ−ＵＴＲＡＮ（ＭＭＥ）及びＵＴＲＡＮ（ＳＧＳＮ）において異なり且つ３ＧＤＴ（ＵＴＲＡＮのみ）が使用されるか否かで異なる。
【００６０】
図３は、本発明に係る方法の特定の一例を更に詳細な形式で示す。
【００６１】
３０１．ＭＳのコンテキストを１つのＭＭＥから別のＭＭＥに移動する判断が行われる。この判断は、判断の理由に依存してインフラストラクチャネットワークのソースＭＭＥ又は他の場所で行われてもよく、あるいは判断が統計に基づく場合は統計的分析が提供されるところで行われてもよい。
【００６２】
３０２．ソースモビリティ管理デバイスは、再割当メッセージをＭＳに送信する。
【００６３】
３０３．ソースＭＭＥとＭＳとの間の接続が解放され、ターゲットＭＭＥはＭＳからサービス要求を受信する。
【００６４】
３０４．ターゲットＭＭＥはソースＭＭＥに対してコンテキスト要求を開始し、ターゲットＭＭＥとＭＳとの間の新しい接続が確立され、ターゲットＭＭＥは制御プレーンの制御を引き継ぐ。
【００６５】
３０５．例えばＨＬＲ又はＨＳＳである加入ノードの位置情報を更新する。
【００６６】
３０６．３ＧＤＴ接続を再確立する。
【００６７】
尚、ペイロードパス及びデータは、構成に依存して異なる方法で処理されてもよい。これについては、本明細書において各構成に関連して後述する。
【００６８】
図４を参照すると、ＷＣＤＭＡの例示的な１つの例において、ソースＳＧＳＮからターゲットＳＧＳＮにアクティブな加入者を移動させることは以下のステップを含む。
【００６９】
ステップ４０１：ＰＭＭ接続しているＭＳの場合、ＳＧＳＮはＭＳに対するＰＴＭＳＩ再割当手順を開始する。ＰＴＭＳＩのＮＲＩは、ＭＳが移動されるべきターゲットＳＧＳＮを指し示すように設定される。ＰＴＭＳＩ再割当は、ターゲットＳＧＳＮにおいてＰＴＭＳＩの繰り返しを回避すべきであり、ソースＳＧＳＮの情報を含むべきである。これは、ネットワークトポロジに依存する。
【００７０】
ステップ４０２：ソースＳＧＳＮは、ＭＳをＰＭＭアイドルにしておくようにＭＳに対するＩｕ接続を解放する。
【００７１】
ステップ４０３：ＭＳが何らかのアップリンクを有する場合、ＲＮＣに対するサービス要求を開始する。ソースＳＧＳＮは、ＭＳをページングできるか又はＭＳに対してページング要求を提出できる。
【００７２】
ステップ４０４：ＭＳは、ページング要求を受信した後、ＲＮＣに対するサービス要求を開始できる。
【００７３】
ステップ４０５：ＲＮＣは、ＭＳからサービス要求を受信すると、ＰＴＭＳＩのＮＲＩがターゲットＳＧＳＮを指し示すためその要求をターゲットＳＧＳＮにルーティングする。
【００７４】
ステップ４０６：ターゲットＳＧＳＮは、ＭＳからサービス要求を受信した後、ＭＳに対して移動が行われること、すなわちそれがＭＳの移動であることを識別し、ソースＳＧＳＮに対するＳＧＳＮコンテキスト要求を開始できる。
【００７５】
ステップ４０７：ソースＳＧＳＮは、回答としてＳＧＳＮコンテキスト応答（ＭＭ／ＰＤＰコンテキスト）を返す。尚、旧ＳＧＳＮの分解能は、ＰＴＭＳＩ再割当と強く関連付けられる。これは、更にネットワークトポロジにも依存する。尚、手順全体はＲＡＵ受付なしのＳＧＳＮ間ＲＡＵ手順に従う。
【００７６】
ステップ４０８：ＳＧＳＮコンテキスト応答を受信すると、セキュリティ機能はターゲットＳＧＳＮにより使用される。すなわち、セキュリティモード手順はＲＮＣを介してＭＳとターゲットＳＧＳＮとの間で実行される。
【００７７】
ステップ４０９：ターゲットＳＧＳＮは、ソースＳＧＳＮにＳＧＳＮコンテキスト肯定応答を返す。
【００７８】
ステップ４１０：ソースＳＧＳＮにＳＧＳＮコンテキスト肯定応答を送出した後、ターゲットＳＧＳＮは、サービス要求中のサービスの種類が「データ」又はＧＧＳＮからのダウンリンクパケットであるためにＧＧＳＮを更新し且つＲＮＣに対するＲＡＢ  ＡＳＳ手順を開始する。
【００７９】
ステップ４１１：ターゲットＳＧＳＮは位置更新要求をＨＬＲに送出する。
【００８０】
ステップ４１２：ＨＬＲは、位置更新要求に応答して位置消去コマンドをソースＳＧＳＮに送出する。
【００８１】
ステップ４１３：加入者データの挿入は、ターゲットＳＧＳＮとＨＬＲとの間で行われる。
【００８２】
ステップ４１４：ＨＬＲは位置更新肯定応答をターゲットＳＧＳＮに送出する。
【００８３】
ステップ４０１において、一般にソースＳＧＳＮは以下の方法でＰＴＭＳＩ再割当を処理できる。
【００８４】
（１）新ＰＴＭＳＩ＝同報通信ＲＡＩを含むＦ１（ターゲットＮＲＩ）であり、ターゲットＮＲＩはターゲットＳＧＳＮを識別するために使用され、同報通信ＲＡＩはソースＳＧＳＮを見つけるためにターゲットＳＧＳＮにより使用される。
【００８５】
（２）新ＰＴＭＳＩ＝現在のＲＡＩを含むＦ２（ターゲットＮＲＩ、ソースＮＲＩ、移動情報）であり、ターゲットＮＲＩはターゲットＳＧＳＮを識別するために使用され、ソースＮＲＩはソースＳＧＳＮを見つけるためにターゲットＳＧＳＮにより使用され、移動情報は現在の手順が移動であることを識別するためにターゲットＳＧＳＮにより使用される。
【００８６】
図４において、Ｃ１、Ｃ２及びＣ３は、ＣＡＭＥＬ手順呼び出しが実行されることを意味する。詳細については、全ての内容が参考として取り入れられる３ＧＰＰ２３．０６０において見つけられる。
【００８７】
上記例において、基本概念は、ＰＤＰ／ペイロードと共にＭＳを解放せずにプールの別のＳＧＳＮに移動することであり、全てのＰＤＰコンテキストは、パケット損失を最小限にするようにターゲットＳＧＳＮで保持される。
【００８８】
別のＷＣＤＭＡの例における個々の構成要素及びそれらの各状態を以下に説明する。更に実際の移動手順については図５を参照して説明する。
【００８９】
ステップ５００：移動の判断は、ＭＳに対してソースＭＭＥにより行われる。
【００９０】
ステップ５０１：ソースＭＭＥは、ターゲットＭＭＥがソースＭＭＥを識別するためにＭＳ情報に対してＧＵＴＩ再割当手順を開始し、移動手順はＧＵＴＩに含まれるべきである。尚、ＭＳがＥＣＭ接続していない場合、ＭＭＥはこのステップの前にＭＳをページングする。
【００９１】
ステップ５０２：ＭＳは、ＳＭＭＥに対してＧＵＴＩ再割当完了メッセージで応答する。
【００９２】
ステップ５０３：ソースＭＭＥは信号伝送接続を解放する。
【００９３】
ステップ５０４：ソースＭＭＥは、ページング要求をＭＳに送出することによりＭＳをページングする。
【００９４】
ステップ５０５：ＭＳは、ページング要求を受け付け、サービス要求手順を開始する。ＧＵＴＩのターゲットＭＭＥ  ＩＤのために、メッセージはｅｎｏｄｅＢによりターゲットＭＭＥにルーティングされる。
【００９５】
ステップ５０６：ターゲットＭＭＥは、サービス要求を受信する一方で、ＧＵＴＩからの移動手順及びソースＭＭＥ  ＩＤを識別し、ＭＳのコンテキストを取り出すためにコンテキスト要求をソースＭＭＥに送出する。
【００９６】
ステップ５０７：ＳＭＭＥは、回答としてコンテキスト応答を返す。
【００９７】
ステップ５０８：ターゲットＭＭＥはセキュリティ機能を開始する。すなわち、ターゲットＭＭＥはセキュリティ処理を実行するためにｅｎｏｄｅＢを介してＭＳと対話する。
【００９８】
ステップ５０９：ターゲットＭＭＥはコンテキスト肯定応答をソースＭＭＥに送出する。
【００９９】
ステップ５１０：ターゲットＭＭＥは、ベアを確立するためにコンテキストセットアップ手順を開始する。
【０１００】
ステップ５１１：ＭＳとｅｎｏｄｅＢとの間で無線セットアップが実行される。
【０１０１】
ステップ５１２：無線セットアップが終了すると、ｅｎｏｄｅＢは、コンテキストセットアップ完了メッセージをＴＭＭＥに送出する。
【０１０２】
ステップ５１３：ターゲットＭＭＥは、ＳＧＷに対してベアラ更新手順を開始する。
【０１０３】
ステップ５１４：ベアラ更新は、ＳＧＷ及びＰＧＷにより実行される。
【０１０４】
ステップ５１５：ＳＧＷは、ベアラ更新応答をＴＭＭＥに送出する。
【０１０５】
ステップ５１６：ターゲットＭＭＥは、ＨＳＳに対して位置更新手順を開始する。
【０１０６】
ステップ５１７：ＨＳＳは、応答としてソースＭＭＥに対して位置消去を開始する。
【０１０７】
ステップ５１８：位置消去を完了すると、ＨＳＳは位置更新肯定応答をＴＭＭＥに送出する。
【０１０８】
ステップ５１９：ターゲットＭＭＥの実際のＧＵＴＩはＭＳに割り当てられる。
【０１０９】
ステップ５２０：ＭＳは、応答としてＧＵＴＩ再割当完了をＴＭＭＥに返す。
【０１１０】
図６は、本発明に係る方法の別の特定の例を更に詳細な形式で示す。
【０１１１】
６０１：１つのＭＭＥから別のＭＭＥにＭＳのコンテキストを移動する判断が行われる。この判断は、判断の理由に依存してインフラストラクチャネットワークのソースＭＭＥ又は他の場所で行われてもよく、あるいは判断が統計に基づく場合は統計的分析が提供されるところで行われてもよい。
【０１１２】
６０２：ソースモビリティ管理デバイスは、例えばセキュリティコンテキストデータを含むＭＭ及びＰＤＰコンテキストデータであるユーザ機器通信データをターゲットモビリティ管理デバイスに送信し、ターゲットＭＭＥから一時的ＵＥ識別データを受信する。
【０１１３】
６０３：ソースモビリティ管理デバイスは、ターゲットモビリティ管理デバイスに関連するデータをユーザ機器に送信する。
【０１１４】
６０４：ソースＭＭＥとＵＥとの間の接続が解放され、解放情報はターゲットＭＭＥに送出され、ターゲットＭＭＥとＵＥとの間の新しい接続が確立され、ターゲットＭＭＥは制御プレーンの制御を引き継ぐ。
【０１１５】
６０５：例えばＨＬＲ又はＨＳＳである加入ノードの位置情報を更新する。
【０１１６】
６０６：３ＧＤＴ接続を再確立する。
【０１１７】
ＷＣＤＭＡの別の例示的な例において、ソースＭＭＥすなわちＳＧＳＮからターゲットＭＭＥすなわちＳＧＳＮへのアクティブな加入者の移動は以下のいくつかの部分を含む。
【０１１８】
１．セキュリティコンテキストを含むＭＭ及びＰＤＰコンテキストをソースＳＧＳＮからターゲットＳＧＳＮに転送する。このステップにおいて、手順はソースＳＧＳＮにより開始されるため、順方向再配置手順が使用される。
【０１１９】
２．ソースＳＧＳＮからターゲットＳＧＳＮ又は３ＧＤＴの場合はＲＮＣからターゲットＳＧＳＮにＧＧＳＮ  ＤＬ及びＵＬパスを切り換える。
【０１２０】
３．ターゲットＳＧＳＮにより割り当てられた新ＰＴＭＳＩを使用してＰＴＭＳＩを再割り当てする。
【０１２１】
４．ターゲットＳＧＳＮは、ＲＮＣから、ソースＳＧＳＮからターゲットＳＧＳＮにＩｕ接続を切り替えることにより制御プレーン信号伝送を引き継ぐ。
【０１２２】
５．ＨＬＲの位置を更新する。
【０１２３】
６．ＲＡＢを再確立する。
【０１２４】
７．３ＧＤＴの場合、ターゲットＳＧＳＮからＲＮＣにＧＧＳＮ  ＤＬ及びＵＬパスを切り換える。
【０１２５】
ＷＣＤＭＡの例における個々の構成要素及びそれらの各状態を以下に説明する。更に実際の移動手順については図７において説明する。
【０１２６】
セキュリティコンテキストを含むＭＭ及びＰＤＰコンテキストのソースＳＧＳＮからターゲットＳＧＳＮへの転送
ＭＭ及びＰＤＰコンテキストは、ＳＧＳＮコンテキスト手順（ＩＳＲＡＵで使用される）を使用して又は順方向再配置手順（ＰＳハンドオーバ及びＳＲＳＮ再配置で使用される）を使用して２つのＳＧＳＮの間で移動されてもよい。
【０１２７】
ＳＧＳＮコンテキスト手順がターゲット（新）ＳＧＳＮにより開始されると、これは、ターゲットＳＧＳＮがＭＳのコンテキストを移動する必要性を認識することを要求する。これは、ＭＳがｐＲＡＵを使用して移動される場合にも当てはまるが、ペイロードを実行するＭＳの場合はｐＲＡＵがなく、この手順を除外する。
【０１２８】
従って、順方向再配置手順が使用され且つソースＳＧＳＮにより開始されるのが好ましい。
【０１２９】
ソースＳＧＳＮからターゲットＳＧＳＮ又は３ＧＤＴの場合にはＲＮＣからターゲットＳＧＳＮへのＧＧＳＮ  ＤＬ及びＵＬパスの切り替え
ＰＤＰコンテキスト更新手順を使用することにより、各ＰＤＰコンテキストに対するターゲットＳＧＳＮのＩＰアドレス及びＴＥＩＤをＧＧＳＮに与えることが可能であり、これによりソースＳＧＳＮからターゲットＳＧＳＮにＳＧＳＮ−ＧＧＳＮペイロードトンネルを切り換える。
【０１３０】
ターゲットＳＧＳＮにより割り当てられた新Ｐ−ＴＭＳＩを使用するＰ−ＴＭＳＩの再割当
Ｐ−ＴＭＳＩの再割当は、新ＳＧＳＮに入った時に必要であり、接続、あるいは次の接続又はＲＡＵ完了メッセージを含むＲＡＵ受付により一般に行われる。アクティブな加入者を移動させる場合、これらの手順のいずれも用意されていない。その代わり、３ＧＰＰで標準化されたスタンドアロンＰ−ＴＭＳＩ再割当手順がある。
【０１３１】
ＲＮＣ、ソースＳＧＳＮからターゲットＳＧＳＮにＩｕ接続を切り換えることにより制御プレーン信号伝送を引き継ぐターゲットＳＧＳＮ
ＲＮＣとＳＧＳＮとの間のＩｕ接続がＲＮＣとＭＳとの間のＲＲＣ接続に密接に関連するため、少なくともＲＮＣからの連携がなくはないが、ＲＲＣ接続に影響を及ぼさずにソースＳＧＳＮとターゲットＳＧＳＮとの間のＩｕ接続を切り換えられない。従って、手順は、第１のステップにおいて、ソースＳＧＳＮでＩｕ接続を解放し、それによりＲＲＣ接続も開放するタスクを含む。ターゲットＳＧＳＮは、第２のステップにおいて、ターゲットＳＧＳＮからのＩｕ接続をセットアップし且つ新しいＲＲＣ接続を確立するためにＭＳをページングする（新Ｐ−ＴＭＳＩを使用して）必要がある。ＭＳがサービス要求（データ）を自発的に発行する場合、ページングは必要ない。その後、セキュリティモード手順を使用することにより、セキュリティコンテキストはＲＮＣにおいて再確立される。
【０１３２】
例えばＨＬＲ又はＨＳＳである加入ノードの位置情報の更新
これは、例えばＳＧＳＮ間ＲＡＵで使用された通常の位置の更新、すなわち位置更新手順により処理された通常の位置の更新と同一である。
【０１３３】
ＲＡＢの再確立及び３ＧＤＴの場合はターゲットＳＧＳＮからソースＲＮＣへのＧＧＳＮ  ＤＬ及びＵＬパスの切り換え
これは、ＲＡＢ割当手順により通常通り処理される。３ＧＤＴの場合、ＲＮＣはＧＧＳＮに対するＩＰアドレス及びＴＥＩＤを与えられ、ＲＡＢ割当手順が終了した後、ＧＧＳＮはユーザプレーンに関するＲＮＣに対するＩＰアドレス及びＴＥＩＤにより更新される。
【０１３４】
アクティブな加入者の移動手順
上述した個々の構成要素の観点から、図７に示すように以下の手順が提案される。尚、本発明の概要を容易にするために全てのステップが図７に示されるわけではなく、含まれたメッセージパラメータフィールドは例としてのみ示される。
【０１３５】
１．ソースＳＧＳＮは、ＭＳを移動することを判断し、順方向再配置要求（ＩＭＳＩ、ＴＥＩＤ制御プレーン、ＲＡＮＡＰ原因、ＭＭコンテキスト、ＰＤＰコンテキスト、ＳＧＳＮ制御プレーンアドレス、ターゲット識別＝空、ＵＴＲＡＮ透過的コンテナ＝空、移動標識を含むプライベート拡張）メッセージを選択したターゲットＳＧＳＮに送出する。このステップにより、ＭＭ及びＰＤＰコンテキストはソースＳＧＳＮからターゲットＳＧＳＮに転送される。
【０１３６】
２．ターゲットＳＧＳＮは、ＩＭＳＩ分析、ローミング制約、使用された暗号化アルゴリズム等に関して要求の妥当性を検査する。新しいＭＳが受け入れ不可能である場合、要求は拒否され、受け入れ可能である場合は、新Ｐ−ＴＭＳＩ及び順方向再配置応答（例えば、制御パラメータ原因、ＴＥＩＤ制御プレーン、ＳＧＳＮ制御プレーンアドレス、新Ｐ−ＴＭＳＩを含むプライベート拡張を含む）メッセージがソースＳＧＳＮに送出される。
【０１３７】
３．ソースＳＧＳＮからターゲットＳＧＳＮにＧＧＳＮ  ＤＬ及びＵＬパスを切り換えるために、ターゲットＳＧＳＮは、ＰＤＰコンテキスト毎にＰＤＰコンテキスト更新要求メッセージをＧＧＳＮに送出する。
【０１３８】
４．ＧＧＳＮは、ＰＤＰコンテキストフィールドを更新し、ＰＤＰコンテキスト更新応答メッセージをターゲットＳＧＳＮに返す。この時点から、ＧＧＳＮからのＤＬパケットはターゲットＳＧＳＮに向けられ、ＵＬパケットは依然としてソースＳＧＳＮからＧＧＳＮに向けて送出される。ＤＬパケットは、新しいＩｕ接続及びＲＡＢがＭＳとターゲットＳＧＳＮとの間に確立されるまで廃棄されてもよく又はバッファリングされてもよい。
【０１３９】
５．ターゲットＳＧＳＮは、ＳＧＳＮ−ＧＧＳＮペイロードの切り換えが順方向再配置完了メッセージを送出することにより完了されることをソースＳＧＳＮに通知する。
【０１４０】
６．ソースＳＧＳＮは、ターゲットＳＧＳＮで割り当てられ且つステップ２で受信した新Ｐ−ＴＭＳＩを使用してＰ−ＴＭＳＩの再割当を開始する。ソースＳＧＳＮは、Ｐ−ＴＭＳＩ再割当コマンド（新Ｐ−ＴＭＳＩ）メッセージをＭＳに送出する。
【０１４１】
７．ＭＳは、ソースＳＧＳＮに対してＰ−ＴＭＳＩ再割当完了メッセージにより応答する。この時点で、ＭＳはターゲットＳＧＳＮを指し示すＮＲＩを含むＰ−ＴＭＳＩを有するが、信号伝送は、現在のＩｕ接続が残っている限り依然としてソースＳＧＳＮに向けられる。
【０１４２】
８．ＲＮＣとソースＳＧＳＮとの間のＩｕ接続を解放するために、ソースＳＧＳＮは、Ｉｕ解放手順を実行する（後続のＩｕ解放コマンド及びＩｕ解放完了応答）。この手順は、ＲＲＣ接続の解放も示す。Ｉｕ解放の結果、全ての可能なＲＡＢも解放される。
【０１４３】
９．完了したＰ−ＴＭＳＩ再割当手順及びＩｕ接続の解放の確認として、ソースＳＧＳＮは順方向再配置完了肯定応答メッセージをターゲットＳＧＳＮに送出する。
【０１４４】
１０．ターゲットＳＧＳＮは、位置更新メッセージをＨＬＲに送出することによりＳＧＳＮの変更をＨＬＲに通知する。
【０１４５】
１１．ＭＳは、アップリングデータを送出したい場合、Ｉｕ接続及びＲＡＢを再確立するためにサービス要求（データ）を発行する。
【０１４６】
１２．位置消去手順は、ＨＬＲとソースＳＧＳＮとの間で実行される。
【０１４７】
１３．加入者データ挿入手順は、ＨＬＲとターゲットＳＧＳＮとの間で実行される。
【０１４８】
１４．ステップ１１でＭＳがサービス要求（データ）を発行しなかった場合、ターゲットＳＧＳＮは新Ｐ−ＴＭＳＩを含むページング要求メッセージを使用してＭＳをページングする。
【０１４９】
１５．ＭＳは、新Ｐ−ＴＭＳＩのためにターゲットＳＧＳＮに向けられるサービス要求（ページング応答）で応答する。
【０１５０】
１６．ＲＮＣにおいてセキュリティコンテキストを再確立するために、ターゲットＳＧＳＮはセキュリティモード手順を開始する。
【０１５１】
１７．ＨＬＲは、位置更新肯定応答メッセージをターゲットＳＧＳＮに送出することにより位置更新を確認する。
【０１５２】
１８．ターゲットＳＧＳＮは、ＭＳに対してペイロードを送受信できるように、ＲＡＢ割当手順を使用してＲＮＣに対してＲＡＢをセットアップする。３ＧＤＴの場合、ＲＮＣはＧＧＳＮのＩＰアドレス及びＴＥＩＤを与えられる。
【０１５３】
１９．３ＧＤＴの場合、ＧＧＳＮはユーザプレーンに関するＲＮＣのＩＰアドレス及びＴＥＩＤにより更新される必要がある。これは、ＰＤＰコンテキスト更新手順を使用して行われる。
【０１５４】
移動されるＭＳが接続状態でない場合、いくつかの手順が省略される。更に、ＭＳはページングされる必要があり、Ｉｕ接続はＰ−ＴＭＳＩ再割当手順を実行する前に確立される必要がある。Ｐ−ＴＭＳＩ再割当手順の後、Ｉｕ接続は解放される。
【０１５５】
要約すると、ＷＣＤＭＡに対するＳＧＳＮプールにおける移動は以下のように説明できる。
【０１５６】
第１のステップは、ＳＧＳＮ間ＳＲＮＳ手順の一部、すなわち順方向再配置要求及び応答メッセージを含む。これらは、旧ＳＧＳＮと新ＳＧＳＮとの間でＭＳコンテキストデータ及び新Ｐ−ＴＭＳＩ（新ＳＧＳＮで割り当てられた）を送受信するために使用される。
【０１５７】
次のステップとして、旧ＳＧＳＮは新ＳＧＳＮを指し示す新Ｐ−ＴＭＳＩを使用してＰ−ＴＭＳＩを再割り当てする。それと同時に、新ＳＧＳＮにおいて、ＧＧＳＮへ及びＧＧＳＮからのペイロードパスは、旧ＳＧＳＮから新ＳＧＳＮ（又は３ＧＤＴの場合はＲＮＣから新ＳＧＳＮ）に切り替えられる。ダウンリンクペイロードパケットは、新ＳＧＳＮにおいてバッファリングされるか又は廃棄される。
【０１５８】
順方向再配置完了メッセージ（ＧＧＳＮへのペイロードパスの切り替えが完了したことを示す）を受信し且つＰ−ＴＭＳＩ再割当を終了した後、旧ＳＧＳＮはＩｕを解放し、新ＳＧＳＮに通知する。新ＳＧＳＮは、即座にＭＳをページングし（ＭＳがサービス要求を開始しない限り）、Ｉｕ及びＲＡＢを再確立する。ペイロードは、新ＳＧＳＮを介してＧＧＳＮとＭＳとの間で再開してもよい（３ＧＤＴの場合、ＧＧＳＮに対する更新により、ＲＮＣとＧＧＳＮとの間の３ＧＤＴパスが再確立される）。ＨＬＲに対する位置更新は、Ｉｕ接続が旧ＳＧＳＮで解放されることが順方向再配置完了肯定応答メッセージを介して新ＳＧＳＮに通知されるとすぐに実行される。これについては図７に関連して説明される。
【０１５９】
ＭＭＥプールにおけるＬＴＥの例の移動は以下の同様の手順に従う。
【０１６０】
図７において、ＷＣＤＭＡの例における移動手順が説明されたが、ＭＭＥの例において、手順は僅かに異なり、これを図８に関連して以下に説明する。移動の判断の後の第１のステップは、ＭＭＥ間Ｓ１ハンドオーバ手順の一部、すなわち順方向再配置要求及び応答メッセージを含む。これらは、旧ＭＭＥと新ＭＭＥとの間でＵＥコンテキストデータ及び新ＧＵＴＩ（新ＭＭＥで割り当てられた）を送受信するために使用される。次のステップとして、旧ＭＭＥは新ＭＭＥを指し示す新ＧＵＴＩと共にＧＵＴＩ再割当手順を使用する。サービングゲートウェイ（ＳＧＷ）からのダウンリンクペイロードパケットを一時的に停止するために、アクセスベアラ解放手順が旧ＭＭＥからＳＧＷに向けて実行される。これは全てのベアラを解放し、旧ＭＭＥとｅｎｏｄｅＢとの間のＳ１接続（ＵＥコンテキスト解放コマンド）がｅｎｏｄｅＢとＵＥとの間のＲＲＣ接続解放と共にＳ１解放手順（ＵＥコンテキスト解放完了）により解放される。ペイロードパケットは、ＳＧＷにバッファリングされてもよく又は廃棄されてもよい。
【０１６１】
最終的なステップとして、新ＭＭＥは、Ｓ１接続が旧ＭＭＥから順方向再配置完了通知を送出することにより解放される時期を通知される。このメッセージは、ＮＡＳ暗号化をシームレスに継続できるようにＮＡＳアップリング及びダウンリンクカウントを含む。新ＭＭＥは、即座にＵＥをページングし（ＵＥがサービス要求を開始しない限り）、Ｓ１接続及びＳＡＥベアラ（「Ｅ−ＲＡＢ」）を再確立する。ＭＭＥは、ベアラ変更要求を実行することによりＳＧＷにおいてベアラを再確立する。ペイロードは、ｅｎｏｄｅＢを介してＳＧＷとＭＳとの間で再開してもよい。ＨＳＳに対する位置更新は、Ｓ１接続が旧ＭＭＥで解放されることが順方向再配置完了通知を介して新ＭＭＥに通知されるとすぐに実行される。尚、ベアラ変更要求／応答はＰＤＮ接続毎に実行され、この時、各ＰＤＮ接続バッファリング／廃棄が解放される。
【０１６２】
尚、「備える」という用語は、列挙した要素又はステップ以外の要素又はステップの存在を除外せず、要素の単数形は複数の要素の存在を除外しない。また、いかなる図中符号も請求の範囲の範囲を限定せず、本発明は少なくとも部分的にハードウェア及びソフトウェアの双方により実現されてもよく、いくつかの「手段」又は「ユニット」は同一のハードウェア項目により表されてもよい。
【０１６３】
上述した実施形態は、単に例として与えられ、本発明を限定するべきではない。以下に説明する請求の範囲で請求されるような本発明の範囲内の他の解決策、用途、目的及び機能が当業者には明らかであるべきである。
【０１６４】
［略語の説明］
３ＧＤＴ ３Ｇダイレクトトンネル (3G Direct Tunnel)
ＣＮ  コアネットワーク (Core Network)
ＣＳ  回線交換 (Circuit Switched)
ＤＮＳ  ディレクトリネームサーバ (Directory Name Server)
ＧＧＳＮ ゲートウェイＧＰＲＳサポートノード (Gateway GPRS Support Node)
ＧＵＴＩ グローバル一意一時的ＵＥ識別 (Globally Unique Temporary UE Identifier）
ＨＬＲ  ホームロケーションレジスタ (Home Location Register)
ＨＳＳ  ホーム加入者サーバ (Home Subscriber Server)
ＬＴＥ  ロングタームエボリューション (Long Term Evolution)
ＭＭＥ  モビリティ管理エンティティ (Mobility Management Entity)
ＭＳ  移動局 (Mobile Station)
ＮＡＳ  ノンアクセスストラタム (Non Access Stratum)
ＮＲＩ  ネットワークリソース識別子 (Network Resource Identifier)
Ｏ＆Ｍ  運用及び保守 (Operation and Maintenance)
ＰＳ  パケット交換 (Packet Switched)
ＲＡ  ルーティングエリア (Routing Area)
ＲＮＣ  無線ネットワークコントローラ (Radio Network Controller)
ＳＲＮＳ サービング無線ネットワークサブシステム (Serving Radio Network Subsystem)
ＳＧＳＮ サービングＧＰＲＳサポートノード (Serving GPRS Support Node)
Ｐ−ＴＭＳＩ パケット一時移動局識別 (Packet-Temporary Mobile Station Identity)
ＵＥ  ユーザ機器 (User Equipment)
ＷＣＤＭＡ 広帯域符号分割多元接続 (Wideband Code Division Multiple Access)
【図１】
2012522437.tif 000003
【図２】
2012522437.tif 000004
【図３】
2012522437.tif 000005
【図４】
2012522437.tif 000006
【図５】
2012522437.tif 000007
【図６】
2012522437.tif 000008
【図７】
2012522437.tif 000009
【図８】
2012522437.tif 000010
【国際調査報告】
2012522437.tif 000011
2012522437.tif 000012
2012522437.tif 000013
2012522437.tif 000014
2012522437.tif 000015